(57)【特許請求の範囲】
【請求項１】
ベッドのサイドレールとしての側柵を構成する複数本の横バー及び複数本の縦バーのうち複数本のバーを選択しこの選択されたバーを利用して変形可能な布状素材からなる袋体を取り付けたベッド周りの収納袋において、前記袋体は、前面から後方に奥行きを有するように形成されたポケットを有し、前記ポケットを、前記側柵のベッド内側から少なくとも２本の前記縦バーの相互間に挿入して前記側柵の後方に突出させ、前記袋体のポケットから側方、上方及び／又は下方に延びる係止部のうち、前記袋体のポケットから側方に延びる２個の側方係止部を前記縦バーに後方に向けて巻き付けて前記袋体の後面に固定し、前記袋体のポケットから上方に延びる上方係止部を前記横バーに後方に向けて巻き付けて前記袋体の後面に固定することにより、前記袋体を前記バーに取り付けており、前記上方係止部は、前記縦バーの上端を連絡する第１の横バーに後方に向けて巻き付けた後、所定の長さをたるませて、前記第１の横バーの上方の第２の横バーに巻き付けて固定されていることを特徴とするベッド周りの収納袋。
【請求項２】
前記第１の横バーと第２の横バーとの間の前記上方係止部のたるませた部分にティッシュペーパーの箱をくるみ、このティッシュペーパーの箱を前記側柵の後面に配置したことを特徴とする請求項１に記載のベッド周りの収納袋。
【請求項３】
ベッドのサイドレールとしての側柵を構成する複数本の横バー及び複数本の縦バーのうち複数本のバーを選択しこの選択されたバーを利用して変形可能な布状素材からなる袋体を取り付けたベッド周りの収納袋において、前記袋体は、前面から後方に奥行きを有するように形成されたポケットを有し、前記ポケットを、前記側柵のベッド内側から少なくとも２本の前記縦バーの相互間に挿入して前記側柵の後方に突出させ、前記袋体のポケットから側方、上方及び／又は下方に延びる係止部のうち、前記袋体の前面から上方に延びる前面上方係止部を前記ポケットを挿入した縦バーの上端を連絡する第１の横バーに巻き付けて固定し、前記袋体の前面から下方に延びる下方係止部を前記第１の横バーの下段の第３の横バーに巻き付けて固定し、前記袋体の後面から上方に延びる後面上方係止部を前記第１の横バーの上段の第２の横バーに巻き付けて固定することにより、前記袋体を前記バーに取り付けたことを特徴とするベッド周りの収納袋。
【発明の詳細な説明】
【技術分野】
【０００１】
本発明は、ベッドのサイドレール又は介助バーに設置され、ベッド利用者等の眼鏡及びテレビジョン用のリモコン等の小物を収納したり、ゴミ袋として使用されるベッド周りの収納袋に関する。
【背景技術】
【０００２】
病院等の患者用ベッドにおいて、患者が外した眼鏡及びＴＶ（テレビジョン）用リモコン等の小物を入れる小物入れとして、１枚の布の中心線を挟むようにしてその両側に袋を線対称に形成し、ベッドの側柵（サイドレール）に、その中心線をサイドレールの上縁に位置させてサイドレールの両側に垂れ下がるように設けたものがある（特許文献１）。しかしながら、この従来の小物入れは、布に止め縫いして袋を形成しただけであるので、比較的重量があるものを入れると、その袋形状を保持できなくなるという問題点がある。また、袋部分がサイドレールの両側に垂れ下がっているので、袋部分がサイドレールよりもベッドのマットレス側（背ボトム側）にも存在し、この背ボトムが上移動して、患者の身体を起こすときに、ボトム側の袋部分が邪魔になるという問題点もある。
【０００３】
また、硬質針金により、ゴミ袋を係止する輪状の部分と、この輪状の部分をベッドのサイドレールに係止するためのフック部とを形成して、サイドレールの外方にゴミ袋を懸架した構造のゴミ入れ吊り下げ具が提案されている（特許文献２）。しかしながら、このゴミ入れ吊り下げ具は、ゴミが重い場合等に、ゴミ袋が輪状の部分から外れて落下したり、サイドレールへの取付けが安定せず、不用意に動いてしまうという問題点がある。
【０００４】
更に、特許文献３には、ポケットに重量が重いものを入れても、基布が傾かず、ベッドに安定して取り付けることができるベッド用収納ポケットを提供することを目的として、ベッドのヘッドボードの内面に、内部又は裏側に芯材を設けて剛性を具備させた基布を取り付け、この基布の正面に、ティッシュボックス収納体と、ポケットとを設けたベッド用収納ポケットが開示されている。しかしながら、この収納ポケットは、頭部側の板に設けられたものであるため、仰臥位又は横臥位では収納物を視認できず、また、手を上に大きく伸ばさないと、収納物を取り出すことができない。従って、この収納ポケットは使い勝手が悪い。
【０００５】
更にまた、特許文献４には、ベッドの柵に設置でき、開口部を上向きに大きく開いた状態でポリ袋を取り付け可能にしたゴミ箱が開示されている。このゴミ箱は、袋体の開口部を上開放に保持する枠体と、枠体の一部に設けられ、柵の横木部材に取り付けられる取り付け具とを有している。しかしながら、この従来の袋体を使用したゴミ箱を収納袋として利用しようとすると、この収納袋を柵の外側に設置すると、ベッド利用者はその上半身を柵を乗り越えて収納袋内から所望の小物を取り出す必要があり、逆にこの収納袋を柵の内側に設置すると、ベッドの背ボトムを上昇させて背上げ動作をするときに、この収納袋（ゴミ箱）が邪魔になるという問題点がある。
【０００６】
更にまた、特許文献５には、平面形状を有する本体をベッド枠に紐で固定し、着脱可能にした小物入れが開示されている。この本体に、袋部が形成されており、また、ビニール袋が洗濯ばさみで吊り下げられている。しかしながら、この従来技術も、サイドレールの内側（マットレス側）に吊り下げると、背ボトムの上昇下降にとって邪魔になり、サイドレールの外側に吊り下げると、上半身をサイドレールを乗り越えてポケット内の小物を取りに行く必要があり、不便であった。
【０００７】
【特許文献１】特開平１０−２９５４２５号公報
【特許文献２】登録実用新案第３００００４５号公報
【特許文献３】特開２００５−１３１３６８号公報
【特許文献４】特開２００５−１８０９号公報
【特許文献５】特開２００５−３２９０２１号公報
【発明の開示】
【発明が解決しようとする課題】
【０００８】
本発明はかかる問題点に鑑みてなされたものであって、電動ベッド等の背ボトムの上昇及び下降を阻害せず、しかも、ベッド利用者がその上半身が側柵を乗り越えなくても、収納小物を取り出したり、収納小物を入れたりすることができるベッド周りの収納袋を提供することを目的とする。
【課題を解決するための手段】
【０００９】
本発明に係るベッド周りの収納袋は、ベッドのサイドレールとしての側柵を構成する複数本の横バー及び複数本の縦バーのうち複数本のバーを選択しこの選択されたバーを利用して変形可能な布状素材からなる袋体を取り付けたベッド周りの収納袋において、前記袋体は、前面から後方に奥行きを有するように形成されたポケットを有し、前記ポケットを、前記側柵のベッド内側から少なくとも２本の前記縦バーの相互間に挿入して前記側柵の後方に突出させ、前記袋体のポケットから側方、上方及び／又は下方に延びる係止部のうち、前記袋体のポケットから側方に延びる２個の側方係止部を前記縦バーに後方に向けて巻き付けて前記袋体の後面に固定し、前記袋体のポケットから上方に延びる上方係止部を前記横バーに後方に向けて巻き付けて前記袋体の後面に固定することにより、前記袋体を前記バーに取り付けており、前記上方係止部は、前記縦バーの上端を連絡する第１の横バーに後方に向けて巻き付けた後、所定の長さをたるませて、前記第１の横バーの上方の第２の横バーに巻き付けて固定されていることを特徴とする。
【００１０】
更に、前記第１の横バーと第２の横バーとの間の前記上方係止部のたるませた部分にティッシュペーパーの箱をくるみ、このティッシュペーパーの箱を前記側柵の後面に配置することが好ましい。
【００１１】
本発明に係る他のベッド周りの収納袋は、ベッドのサイドレールとしての側柵を構成する複数本の横バー及び複数本の縦バーのうち複数本のバーを選択しこの選択されたバーを利用して変形可能な布状素材からなる袋体を取り付けたベッド周りの収納袋において、前記袋体は、前面から後方に奥行きを有するように形成されたポケットを有し、前記ポケットを、前記側柵のベッド内側から少なくとも２本の前記縦バーの相互間に挿入して前記側柵の後方に突出させ、前記袋体のポケットから側方、上方及び／又は下方に延びる係止部のうち、前記袋体の前面から上方に延びる前面上方係止部を前記ポケットを挿入した縦バーの上端を連絡する第１の横バーに巻き付けて固定し、前記袋体の前面から下方に延びる下方係止部を前記第１の横バーの下段の第３の横バーに巻き付けて固定し、前記袋体の後面から上方に延びる後面上方係止部を前記第１の横バーの上段の第２の横バーに巻き付けて固定することにより、前記袋体を前記バーに取り付けたことを特徴とする。
【発明の効果】
【００１３】
本発明によれば、サイドレール又は介助バーからなる側柵の後面に、係止部を横バー及び／又は縦バーに絡ませることにより、袋体を配置し、この袋体に対し、ポケットを袋体の前面から後方に奥行きを有するように設けているので、ポケット開口部に対する小物の出し入れが側柵の前面から可能であり、上半身を側柵から乗り出して小物を出し入れする必要がない。また、袋体のポケットは側柵の後方に突出しているので、ベッドのマットレス側に突起物はない。このため、背ボトムを上昇させたり、下降させたりするときに、収納袋が背ボトムの移動を邪魔してしまうことがない。
【発明を実施するための最良の形態】
【００１４】
以下、本発明の実施形態について、添付の図面を参照して具体的に説明する。図１は本発明の実施形態に係るベッドの周りの収納袋（第１収納袋及び第２収納袋）を示す正面図、図２は上方からみた斜視図、図３は左方からみた斜視図、図４は背面図、図５（ａ）は第１収納袋を取り外した状態を示す正面図、図５（ｂ）は裏面図、図５（ｃ）は第１収納袋をバーに取り付けた状態を示す正面図（バー図示せず）、図５（ｄ）は第２収納袋をバーに取り付けた状態を示す裏面図（バー図示せず）、図６（ａ）は第２収納袋をバーに取り付けた状態を示す正面斜視図（バー図示せず）、図６（ｂ）は第２収納袋をバーから取り外し一部分解した状態を示す正面斜視図である。
【００１５】
図１に示すように、サイドレール１は、上段の横バー２ａ（第２の横バー）と、中段の横バー２ｂ（第１の横バー）と、下段の横バー２ｃ（第３の横バー）と、サイドレール１の長手方向の中間部に設けられた１対の最長の縦バー３ａと、サイドレール長手方向の両端部に配置された１対の縦バー３ｃと、中段の横バー２ｂと下段の横バー２ｃとの間に架け渡された複数本の（図示例は５本）縦バー３ｅと、中央の縦バー３ａの下端に設けられた足部３ｄとから構成される。なお、図１の図示例は、第３の横バー２ｃが同一延長線上に存在せず、中央部分において、第３の横バー２ｃが両サイドの第３の横バー２ｃよりも下方の位置に設けられている。本発明においては、高さは問わず、上、中、下の３位置に配置されているものを、第１乃至第３の横バーという。
【００１６】
そして、図１に示す第１の収納袋１０は、変形可能な布状素材からなる袋体１１を有し、この袋体１１のポケット１２をサイドレール１の前面から３本の縦バー３ｅ、３ｅ、３ａ間に挿入して、袋体１１のポケットの周辺部の係止部をバーに絡ませることにより、サイドレール１の背面に固定されている。
【００１７】
図５（ａ）、（ｂ）の展開図に示すように、第１の収納袋１０は袋体１１からなり、この袋体１１は、中央部の２個のポケット１２と、このポケット１２から上方に延びる上方係止部１３ａと、側方（左右方向）に延びる側方係止部１３ｂと、から構成されている。図５（ａ）は袋体１１の前面を示し、図５（ｂ）は袋体１１の後面を示す。袋体１１には、基本的には、その前面に、ポケット１２の正面の開口部１５があり、この正面開口部１５の縁部から上方係止部１３ａ及び側方係止部１３ｂが連なっている。そして、この正面開口部１５からは、一定の奥行きをもつ凹部１６が形成されており、この凹部１６が袋体１１の後方に突出して、ポケット１２の「マチ」となっている。凹部１６の幅方向の中間位置には、縦方向に延びる仕切１７が形成されている。この仕切１７は袋体１１を構成する布を前方に引き出すようにして形成されているので、袋体１１を後方からみると、この仕切１７の部分は凹み１７ａとなっている。そして、袋体１１の開口部１５は、その袋体１１の下半部に相当する部分がメッシュ状の前面仕切１２ｂにより閉塞されている。この前面仕切１２ｂは、開口部１５の縁部に縫製されており、更に、前面仕切１２ｂはその幅方向の中央部１２ａで仕切１７に縫製されている。これにより、袋体１１の凹部１６の底面（後方の面）がポケット１２の裏面、凹部１６の下方の側面がポケット１２の底面、凹部１６の左右の側面がポケット１２の左右の側面を構成する。そして、前面仕切１２ｂの上縁と凹部１６の底面（後方の面）との間で、小物を出し入れするポケット１２の開口部が形成される。また、前面仕切１２ｂの幅方向の中央で、前面仕切１２ｂが仕切１７に縫製されているので、ポケット１２は、仕切１７により、２個の空間に仕切られている（２個のポケット１２が設けられている）。また、このポケット１２の若干上部には、収納物の飛び出しを防止するためのベルト１８が横方向に掛け渡されている。
【００１８】
このように構成された第１の収納袋１０は、図１に示すように、サイドレール１に取り付けられる。図２及び図４はこの取り付け過程の途中を示す。まず、仕切１７の後面の凹み１７ａを、縦バー３ａと、その隣接する縦バー３ｅ、３ｅとの３本の縦バーのうち、中央の縦バー３ｅに嵌め込み、凹み１７ａに設けた面ファスナー（マジックテープ(登録商標)）１４ｃにより縦バー３ｅを挟んで相互に固定する。なお、この第１の収納袋１０を取り付ける位置は、上記のように、縦バー３ａと、その隣接する縦バー３ｅ、３ｅとを利用したものに限らず、隣接する３本の縦バーを利用して第１の収納袋１０を取り付ければよい。また、側方係止部１３ｂを両側の縦バー３ａ、３ｅにサイドレール１の前方から後方に向けて巻き付けて、側方係止部１３ｂの後面の端部に設けた面ファスナー１４ｂにより側方係止部１３ｂの後面に固定する。なお、この側方係止部１３ｂを巻き付ける縦バー３ａ、３ｅも、これに限らず、任意の縦バーを利用することができる。一方、上方係止部１３ａは、中断の横バー２ｂのサイドレール１の前方から後方に向けて巻き架け、ティッシュペーパーの箱２０の下面及び後面に沿わせて上方に引き出し、上段の横バー２ａに下方から前方に巻き付けて後方に引き出し、その端部に設けた面ファスナー１４ａにより上方係止部１３ａの後面に固定する。ティッシュペーパーの箱２０は、その大きさが上段の横バー２ａと中段の横バー２ｂとの間隔よりも若干大きな縦寸法を有するものを使用する。そして、ティッシュペーパーの取出口は、箱２０の前面（図１の正面）に設けられている。よって、ティッシュペーパーの箱２０が上段横バー２ａ及び中段横バー２ｂの間の後方に、上方係止部１３ａに支持されて保持される。なお、中央の縦バー３ｅと横バー２ｂとの交差部において、袋体１１には開口１９が形成されている。この開口１９は縫製上の都合により設けられるものであるので、本発明においては、この開口１９は無くてもよいものである。なお、この第１の収納袋１０は、テレビ及びエアコン等のリモコン及び眼鏡等の収納に好適であるが、その用途は、これに限定されるものではなく、種々の収納袋として使用できる。
【００１９】
一方、第２の収納袋３０は、図６（ａ）、（ｂ）に示すように、布状素材により袋体３１が形成されており、ボックス状をなすポケット３２が、メッシュ状の１対の側面３４と、布状の帯状底後面（底面及び後面）３３と、布状の帯状前面３５とにより、構成されている。これらの３個の素材である側面３４、底後面３３，及び前面３５は、図６（ａ）に示すボックス状に組み立てられている。なお、側面３４等は必ずしもメッシュ状にする必要はなく、通常の布素材により構成してもよく、また、その一部をメッシュ状にしてもよい。
【００２０】
そして、底後面３３から上方に後面上方係止部３８が延びており、前面３５から下方に下方係止部３６と前面上方係止部３７が延びている。前面３５はその中間部で矩形状の折り畳み部３５ａが設けられている。下方係止部３６の下端には、心棒４１が取り付けられており、底後面３３の底面部分には、矩形状の補強板４０が設置されている。この補強板としては、図示のように、矩形状に限らず、種々の形状の補強板を使用することが可能である。例えば、両側面及び底面を有する断面がＵ字形の補強板を使用することもできる。
【００２１】
このように構成された第２の収納袋３０は、図１に示すように、サイドレール１に取り付けられる。即ち、前面３５の上方係止部３７を中段の横バー２ｂに、後方から前方に巻き付けて、上方係止部３７の上端部を上方係止部３７の前面に面ファスナー３９ｂにより固定する。また、前面３５の下方係止部３６の下端部を下段の横バー２ｃにその前方から後方に巻き付けて面ファスナー３９ｃにより下方係止部３６の後面に固定する。更に、底後面３３の上方係止部３８を上段の横バー２ａにその前方から後方に巻き付けて、上方係止部３８の上端部をその後面に面ファスナー３９ａにより固定する。
【００２２】
このように構成された第２の収納袋３０は、前面３５と、メッシュ状側面３４と、底後面３３とにより囲まれた空間により、ポケット３２が構成され、各部分の上端部により、ポケット３２の開口部が形成される。この第２の収納袋３０は、ゴミ袋として好適であるが、その用途は、ゴミ袋に限定されるものではなく、種々の収納袋として使用できる。なお、第２の収納袋３０を収納袋として利用する場合は、矩形状の折り畳み部３５ａを帯状底後面に面ファスナー３９ｂで固定すればよい。その際、折り畳み部３５ａが若干たるむので、折り畳み部３５ａと底後面３３及び側面３４により、小物を置くための空間を形成することができる。
【００２３】
次に、図７乃至図９を参照して、本発明の他の実施形態について説明する。本実施形態は、収納袋を介助バー５０に取り付けたものである。介助バー５０は、上方の横バー５１と、下方の仕切板５２とがそれらの間に若干の空間を設けて配置されており、更に、仕切板５２からは下方の横バー５２ａが横方向に延びて設けられている。また、仕切板５２の下端部には、ベッドのフレームに介助バー５０を固定するための突起５８が設けられており、この突起５８を前記フレームに固定するためのネジ５７が設けられている。
【００２４】
そして、横バー５１の端部と、横バー５２ａの端部とには、夫々垂直の回転軸５４，５５が設置されており、この回転軸５４，５５に回動部５３が取り付けられていて、この回転軸５４，５５により、回動部５３が仕切板５２に対して回転することができる。回転軸５５には固定レバー５６が設置されており、この固定レバー５６の操作により、回動部５３が回転する状態と、停止する状態とを選択することができる。この介助バー５０はベッド上の患者がベッドから離脱するときに、回動部５３に身体をあずけて、回動部５３を回転させつつベッドから立ち上がるために使用される。
【００２５】
このような介助バーに対し、トイ状の布状袋体６０が介助バー５０の仕切板５２の背面に配置されている。この袋体６０は、その横断面が逆三角形をなし、仕切板５２の長手方向に延びるトイ状をなし、その仕切板５２側の部分は、帯状物６１ａ、６１ｂ、６１ｃにより仕切板５２に固定されている。一方、袋体６０における仕切板５２の反対側の部分は、その上縁部が、帯状物６２ａ、６２ｂ、６２ｃにより横バー５１から吊り下げられている。
【００２６】
このように構成されたベッド周りの収納袋においては、この袋体６０にティッシュペーパ箱、テレビジョン用等の各種リモコン、及び眼鏡等を収納し、横バー５１と仕切板５２との間の隙間から、これらのリモコン等を取り出すことができる。よって、ベッド利用者は、ベッド上に横たわったまま、手をのばして、リモコン等を収納袋の袋体６０内に出し入れすることができる。
【００２７】
なお、本発明は、上記各実施形態のように、電動ベッドに限らず、手動で背ボトム等を動かす手動ベッドにも適用できることは勿論であり、更に、背ボトムが移動しない固定ベッドにも適用できることはいうまでもない。
【００２８】
また、上段の第２の横バーに巻き付ける係止部には、第２の横バーに接触する裏面に、滑り止めを設け、ベッド利用者がこの係止部に力を及ぼしたときに、この係止部が第２の横バーに対して不用意にスライドしてしまうことを防止することが好ましい。
【図面の簡単な説明】
【００２９】
【図１】本発明の実施形態に係るベッドの周りの収納袋（第１収納袋及び第２収納袋）を示す正面図である。
【図２】同じくその上方からみた斜視図である。
【図３】同じくその左方からみた斜視図である。
【図４】同じくその背面図である。
【図５】（ａ）は第１収納袋を取り外した状態を示す正面図、（ｂ）は裏面図、（ｃ）は第１収納袋をバーに取り付けた状態を示す正面図（バー図示せず）、（ｄ）は第２収納袋をバーに取り付けた状態を示す裏面図（バー図示せず）である。
【図６】（ａ）は第２収納袋をバーに取り付けた状態を示す正面斜視図（バー図示せず）、（ｂ）は第２収納袋をバーから取り外した状態を示す正面斜視図である。
【図７】本発明の他の実施形態に係るベッド周りの収納袋を背面側からみた斜視図である。
【図８】同じくその斜め後方から見た斜視図である。
【図９】同じくその収納袋の側面を拡大して示す図である。
【符号の説明】
【００３０】
１    サイドレール
１１    袋体
１２    ポケット
１２ａ    中央部
１２ｂ    前面仕切
１３ａ    上方係止部
１３ｂ    側方係止部
１５    開口部
１６    凹部
１７    仕切
１７ａ    凹み
１８    ベルト
１９    開口
２０    ティッシュペーパー箱
２ａ、２ｂ、２ｃ    横バー
３０    収納袋
３１    袋体
３２    ポケット
３３    底後面
３４    側面
３５    前面
３６    下方係止部
３７    前面上方係止部
３８    後面上方係止部
３ａ、３ｂ、３ｃ，３ｅ    縦バー
３ｄ    足部
４０    補強板
４１    心棒
５０    収納袋
５１    横バー
５２    仕切板
５３    回動部
５４，５５    回転軸
５６    レバー
５７    ネジ
５８    突起
６０    袋体
【図１】
0005301863.tif 000002
【図２】
0005301863.tif 000003
【図３】
0005301863.tif 000004
【図４】
0005301863.tif 000005
【図５】
0005301863.tif 000006
【図６】
0005301863.tif 000007
【図７】
0005301863.tif 000008
【図８】
0005301863.tif 000009
【図９】
0005301863.tif 000010